(57)【特許請求の範囲】
【請求項１】
ハブ(b) に連結された折畳み自在な複数の弾性フレーム(f) を有し、ワンタッチ操作によって、折り畳まれた弾性フレーム(f) を広げると同時に天幕地(t) を張るように構成されたワンタッチ折畳み式テント(T) にあって、
前記テント(T) の天幕地(t) が所要数のフック(u) を介して弾性フレーム(f) に連結されており、
前記弾性フレーム(f) の下端のポール(p) と前記天幕地(t) の下端縁との間が、前記ポール(p) の下端を設営面に固定する固定片(5) を介してプラグ状雄係脱部(2) とソケット状雌係脱部(1) とを有するバックルによって着脱可能に連結され、
前記固定片(5) は前記ポール(p) の下端に固着されてなり、
前記バックルと前記固定片(5) との間に、その間隔を調整可能とする調整手段(4) を有してなる、
ことを特徴とするワンタッチ折畳み式テントの脱着装置。
【発明の詳細な説明】
【０００１】
【発明の属する技術分野】
本発明は、弾性フレームと天幕地とを脱着可能に構成したワンタッチ折畳み式テントの脱着装置に係わり、より具体的に説明すれば、テントを張る場合には、天幕地を支持する弾性フレームのポールと天幕地の下端縁とを結合し、フライだけを張る場合には、天幕地の下端縁をポールから取り外すように構成したワンタッチ折畳み式テントの脱着装置に関する。
【０００２】
【従来の技術】
従来のテントとして、多くの形態のワンタッチ折畳み式テントに関する先行技術がある。かかるワンタッチ折畳み式テントの構造例が、例えば実公平８−３６１６号公報、実公平８−３６１７号公報、特許登録第２９０８４０５号公報、韓国実用新案登録第４８６３０号明細書、同第４８７１７号明細書、同第６０２２８号明細書、同第９５０７２号明細書、同第１０９３０６号明細書、同第１２９５７５号明細書、同第１４９９５６号明細書に開示されており、これらは全て本出願人により提案されたものである。
【０００３】
この従来のワンタッチ折畳み式テントは、ワンタッチ操作により、ハブに連結された折畳み自在な複数の弾性フレームが折畳み状態から展開するとき、折畳まれた天幕地も同時に展開する。このため、組立ての迅速性と簡便性の長所を持っている。また、テントのフライを天幕地とともに弾性フレームに一体に結合した場合には、折り畳まれたフライを弾性フレームの展開時と同時に、天幕地と一緒に展開させて組み立てることができるようになり、さらに一層使用上の便利性が得られる。
【０００４】
このように、ワンタッチで折畳み自在な弾性フレームの展開と同時に天幕地を張るようにするには、常に、弾性フレームとテントの布地とがある種の手段を介して連結状態を維持していることを必要とする。天幕地と弾性フレームとの双方が互いに連結状態を維持することにより、弾性フレームが広げられるときに天幕地も一緒に広げられるようになり、テントを立体的に即座に形成することができる。
【０００５】
従来のワンタッチ折畳み式テントの一例を挙げると、図７に示すように、弾性フレームの下端に配されたポールｐには、バーブ(barb)ｐ’を有する挿入部ｐ’’が形成されている。この挿入部ｐ’’はポールｐを地面（テント設営面）に固定するためのポール固定手段である固定片ｓに形成された挿入孔ｈに挿入されて抜脱が不可能とされる。テントの天幕地の下端縁には、前記固定片ｓの一端部が帯状の連結片３を介して結合されている。前記固定片ｓは、その他端部にテント固定用リングｒが設けられ、同リングｒにペグを挿入して地面に固定される。テントのルーフ部は、弾性フレームにフックやスリーブを介して遊動可能に掛合されることもある。
【０００６】
このようなワンタッチ折畳み式テントは、異なる形式の折畳み式テント、例えば複数個のポールを組み立てたのち、弾性フレームに天幕地のフック或はスリーブに掛合させてテントを立体的に組み立てる形式に比べると、野外でテントを迅速に張ることができるという利点を有している。
【０００７】
【発明が解決しようとする課題】
ところで、従来のワンタッチ折畳み式テントは、上述のごとく天幕地に結合された固定片に弾性フレームの下端のポールを一体に固着した構造となっている。即ち、弾性フレームと天幕地とを一体に分離不能に結合させている。このため、弾性フレームと天幕地とを引離すことはできない。その結果、日傘としてフライだけを張ることが望ましい場合でも、地面に固定された弾性フレームから天幕地を切り離すことができず、フライを天幕地とともに張ることしかできない。
【０００８】
勿論、テントのルーフ部分は、弾性フレームにフックを介して遊動自在に掛合されるため、そのルーフ部分と弾性フレームとを引離すことは容易である。しかしながら、弾性フレームの下端のポールは天幕地の固定片に分離不能に一体に結合されているため、上述のごとく使用にあたっての迅速性や組立てにあたっての簡便性など、それなりの利点があるものの、天幕地を取り除いてフライだけを張ろうとしても不可能であり、その使用範囲が制限されるという問題点などがあった。
【０００９】
また、テントの天幕地あるいは弾性フレームのいずれか一方に故障があって、交換又は修繕を要する場合にも、天幕地を弾性フレームから取り外すことができず、しかも嵩張っており、重い天幕地と弾性フレームとの双方を同時に運搬して修繕などを行なわざるを得ないという不便さもあった。
【００１０】
このような問題は、前記ワンタッチ折畳み式テントだけに特有な問題であり、同ワンタッチ折畳み式テント以外の他の一般的なフレームを組み立てる形式のテントの場合には、元来、フレームと天幕地とが分離型であるため、上述のごとき問題点は生じない。しかしながら、ワンタッチ折畳み式テント以外の他の一般的な折畳み式テントはワンタッチ操作で組み立てることができない不便さを有していることは、言うまでもない。
【００１１】
本発明の第１の目的は、使用上の迅速性及び簡便性を備えたワンタッチ折畳み式テントの長所をそのまま維持しながら、弾性フレーム及び天幕地を着脱可能に構成し、弾性フレームと天幕地とを選択的に張ることを可能にしたワンタッチ折畳み式テントの脱着装置を提供することにある。更に、本発明の第２の目的は、組立ての迅速性や簡便性に止まらず、天幕地が取り外された状態でフライだけを張ることもできる効率性の高い脱着装置を備えたワンタッチ折畳み式テントを提供することにある。
【００１２】
【課題を解決するための手段及び作用効果】
本件請求項１に係る発明は、ハブに連結された折畳み自在な複数の弾性フレームを有し、ワンタッチ操作によって、折り畳まれた弾性フレームを広げると同時に天幕地を張るように構成されたワンタッチ折畳み式テントにあって、前記テントの天幕地が所要数のフックを介して弾性フレームに連結されており、前記弾性フレームのポールと前記天幕地の下端縁との間が、前記ポールの下端を設営面に固定する固定片を介してプラグ状雄係脱部とソケット状雌係脱部とを有するバックルによって着脱可能に連結され、前記固定片は前記ポールの下端に固着されてなり、前記バックルと前記固定片との間に、その間隔を調整可能とする調整手段を有してなることを特徴とするワンタッチ折畳み式テントの脱着装置にある。
【００１３】
本発明の基本的なテントの脱着装置は、ハブに幾つかの折畳み自在な複数の弾性フレームを遊着させると共に、同弾性フレームに所要数のフックを介してテントのルーフを遊動状態に掛合して連結させ、ワンタッチ操作で、折り畳まれた弾性フレームを展開すると同時に天幕地を立体的に組み立てるワンタッチ折畳み式テントに効果的に適用される。
【００１４】
本発明の脱着装置は、脱着手段により前記弾性フレームのポールと天幕地の下端縁との間を着脱可能に連結でき、前記脱着手段と独立して前記ポールの下端に配されたポール固定片により、前記天幕地が取り外された状態でも、前記ポール下端を単独で設営面（地面）に固定し得るように構成している。
【００１５】
前記脱着装置は、前記弾性フレームと前記天幕地とを互いに連結した状態で、同天幕地をワンタッチ操作で組み立てることができると共に、前記弾性フレームと前記天幕地との双方を分離させ、前記ポール固定手段により前記弾性フレームのポールを地面に固定した状態で日傘としてフライだけを張ることができるようになる。
【００１６】
かかる構成によれば、従来のワンタッチ折畳み式テントと同様に、前記天幕地と前記フライとの双方を一緒にワンタッチ操作で組み立てることができる特徴と長所をそのまま保有しながら、前記ワンタッチ折畳み式テントを合理的に使用することができる。更には、前記天幕地と前記弾性フレームとを分離できるため、運搬、保存、取扱いが容易となる。天幕地又は弾性フレームに破損や損傷等を生じた場合にも、補修等を行なうべき天幕地又は弾性フレームのいずれか一方だけを運搬することができるようになり、その荷物を軽くすることができると共に、労力や手間などを大幅に軽減させることができる。
【００１７】
前記脱着手段が、プラグ状雄係脱部とソケット状雌係脱部とを有するバックルを備えている。
前記バックルは、プラグ状雄係脱部とソケット状雌係脱部とを備え、ワンタッチで係脱できる。一般的な脱着手段の構造的な長所を保有して、ワンタッチ操作で前記弾性フレームと前記天幕地との双方を簡単に連結し、あるいは分離させることができる。
【００１８】
このため、テントの組立てに際して、前記天幕地に拘束されることなく前記弾性フレームを自由に展開させることができるようになり、テントの組立てを円滑に且つ迅速に行なうことができる。ここで、前記プラグ状雄係脱部又はソケット状雌係脱部は、上記固定片に一体に直接形成することをも含んでいる。
【００１９】
前記ポール固定片が、テント設営面への固定部をもち、前記ポールの下端に固着されている。
【００２０】
前記固定片は、従来のごとく一般的なテントを地面に固定することができる固定手段の構造的な長所を保有している。即ち、前記固定片は、ポール挿入孔を有しており、同挿入孔に上記弾性フレームのポールの下端バーブを嵌挿することにより固着一体化され、この固定片をテント設営面である地面に固定することにより上記テントの天幕地を地面上に支持する。この場合、弾性フレームの固定まで固定片を天幕地から外しておいて、後付けで弾性フレーム上に天幕地を張ることもできる。
【００２１】
前記バックルと前記固定片との間を連結・分離可能に連結する連結手段を有していることが好ましい。
【００２２】
前記バックルと前記固定片との間は、連結手段により連結・分離可能に連結されている。前記連結手段は、上記弾性フレームの展開又は折畳みを可能にすべく軟質の可撓性材料により構成されていることが望ましい。更に好ましくは、前記脱着手段と前記ポール固定手段との間の間隔を調整することもできるように構成する。前記連結手段の好適な形態として、例えば前記連結手段の設定長さを調整するための調整手段である長さ調整具を有する一般的なベルト、バンド等を使用することができる。かかる調整手段は連結手段自体を連結・分離可能に結合している。
【００２３】
かかる構成によれば、折り畳まれた弾性フレームの展開と同時に天幕地を立体的に展開させるとき、前記弾性フレームの展開を拘束することなく前記天幕地の下端縁は、連結手段により前記弾性フレームのポールと連結されていることにより、円滑に引っ張られて展開することができ、上記テントを安定して張設することができる。これとは反対に、前記弾性フレーム及び天幕地を折畳むときにも、前記弾性フレームｆの折畳みを束縛することなく前記弾性フレームのポールとの連結により前記天幕地の下端縁を円滑に引っ張って折畳むことができる。
【００２４】
また、前記連結手段を安価に製作することができ、前記バックルと前記固定片との間を簡単な操作により連結し、或いは分離することができる。更には、前記連結手段の設定長さを調整手段により調整できるため、テントを地面に組み立てて設置したのち、前記連結手段の長さを前記調整手段にて調整することができるようになり、前記テントの天幕地を所要の緊張状態に張設することができる。また、前記連結手段自体は、その調整手段により連結・分離可能に結合されるため、前記脱着手段又は前記連結手段に破損や破壊等を生じたとき、前記連結手段を前記ポール固定手段から分離させ、前記脱着手段又は前記連結手段だけを容易に交換することができる。
【００２５】
上記脱着装置は、ワンタッチで操作され組み立てられるワンタッチ折畳み式テントの構造と形式をとわず、各種のテントに広く使用することができ、上記諸機能が効果的に達成される。前記ワンタッチ折畳み式テントの組立ての迅速性と簡便性の長所をそのまま保有して、前記フライだけを張ることができる合理的な使用が可能なワンタッチ折畳み式テントが得られる。このため、ワンタッチ折畳み式テントとしての効用性が極めて増大し、その使用範囲を大幅に拡大することができる。
【００２６】
【発明の実施の形態】
以下、本発明の好適な実施の形態を添付図面に基づいて具体的に説明する。
図１は本発明の代表的な実施形態であるワンタッチ折畳み式テントの折畳み状態を示す概略図、図２は同ワンタッチ折畳み式テントを張る場合に、弾性フレームの下端に配されたポールと天幕地とが脱着手段の一部であるバックルを介して連結された状態の一例を示す説明図、図３は同折畳み式テントのフライだけを張る場合に、テントの脱着手段を介して天幕地を弾性フレームのポールから取り外した状態の一例を示す説明図である。
【００２７】
これらの図において、本実施形態におけるワンタッチ折畳み式テントＴは、上方にあるハブｂに遊着して連結された折畳み自在な複数の弾性フレームｆにテントのルーフ部が幾つかのフックｕによって遊動状態に掛合して連結されており、ワンタッチ操作により折畳まれたフレームｆが広げられながら、天幕地ｔを張ることができる構造と形式のものである。このワンタッチ折畳み式テントＴは、フレームｆの下端のポールｐと前記天幕地ｔの下端縁との間に結合・分離可能な脱着手段Ａを備えると共に、前記弾性フレームｆの下端に配されたポールｐにはテント設営面（地面）への固定手段Ｂを備えている。
【００２８】
本発明のワンタッチ折畳み式テントＴは、従来のワンタッチ折畳み式テントとは異なり、前記弾性フレームｆが前記ポールｐのポール固定手段Ｂによって地面に固定されたのち、前記天幕地ｔは、前記ポール固定手段Ｂと独立して、地面に固定された弾性フレームｆに前記脱着手段Ａを介して支持されるように組み立てられる。このため、前記天幕地ｔに束縛されずに前記弾性フレームｆを独自的に且つ自由に地面に設置することが可能になり、その弾性フレームｆの上方に日傘としてフライｗだけを単独に張ることもできる。
【００２９】
本発明では、天幕地ｔの脱着手段Ａとポールｐのポール固定手段Ｂとは、それぞれ独立して連結・分離可能に構成することも可能であり、機械的に連結して構成することも可能である。図６に前記天幕地ｔの脱着手段Ａとポール固定手段Ｂとの典型的な構造を示している。
【００３０】
本実施形態によれば、図２に示すごとくテントＴを地面に張る場合に、図４に示すように、前記弾性フレームｆのポールｐと天幕地ｔの下端縁との間を着脱可能に連結する脱着手段Ａが連結される。ワンタッチ操作すると、図示せぬスプリングの弾力によって、図１に示すようなジグザグ状に折畳まれた状態から折畳み傘の骨組みが自動的に開くようにして、即座に、各フレームｆが天幕地ｔと一緒に広がり、テントＴが地面に立体的に組み立てられる。組み立てられた弾性フレームｆは前記ポール固定手段Ｂに固定され、同ポール固定手段Ｂを介してペグを地面に打ち込むことにより地面に堅固に固定される。前記弾性フレームｆは、強風の際にも揺らぐことなく頑丈な支持力を保つことができる。
【００３１】
図３に示すようにフライｗだけを張る場合には、先ず、図５に示すごとく天幕地ｔを前記脱着手段Ａを介して弾性フレームｆから分離しておく。次に、上述のごとくワンタッチ操作により前記弾性フレームｆだけを広げて、同弾性フレームｆのポールｐに固着されたポール固定手段Ｂを介して前記弾性フレームｆを地面に固定する。そののち、前記ポールｐを地面に固定した状態で前記弾性フレームｆの上方にフライｗを覆い被せて張ればよく、同フライｗを日傘として使用することができる。
【００３２】
図６は前記天幕地ｔの脱着手段Ａとポール固定手段Ｂとの具体的構成を示す要部斜視図である。ここで、本実施形態にあっては、前記脱着手段Ａとして、一般的なバックル型のものを使用している。前記固定手段Ｂとして、一般的なテントを地面に固定する固定片を使用している。
【００３３】
同図において、前記脱着手段Ａは、中空筒部の挿入口１ａと、中空筒部の中間側部に凹部状に窪んだ掛止め縁１ｂとを有するソケット状雌係脱部であるバックル部１と、同バックル部１に嵌挿係着される一対のフック片２ａ，２ａが外側方に向けて対称形に突設されたプラグ状雄係脱部である結合体２とにより構成されている。前記結合体２は、そのフック片２ａと反対側の部位に形成された連結孔２ｂ及び帯状の連結片３を介して天幕地ｔの下端縁に結合されている。前記バックル部１は、その中空筒部の挿入口１ａと反対側の部位に形成された連通孔１ｃ及び連結手段であるバンド４を介してポール固定手段Ｂの一部である固定片５に連結されている。
【００３４】
前記ポール固定手段Ｂは、図６に示すごとき細長い板状をなす固定片５を基本的な構造としている。前記固定片５は、その中間部に形成されたポールｐの挿入孔５ａと、同挿入孔５ａを挟む長手方向両側部にそれぞれ形成された固定部である地面への固定用リング５ｂ及び連結孔５ｃとを有している。前記固定片５は、前記連結孔５ｃ及び前記バンド４を介して前記脱着手段Ａであるバックル部１の連通孔１ｃに連結されている。前記挿入孔５ａには、前記弾性フレームｆの下端のポールｐが挿入固着される。
【００３５】
このように、前記バンド４は、前記脱着手段Ａとポール固定手段Ｂとの間を簡単な操作により連結し、或いは分離することができる。前記バンド４は、図６に示すように軟質の可撓性材料により構成されており、前記連結手段の設定長さを調整するための調整手段である長さ調整具４ａを介して前記脱着手段Ａとポール固定手段Ｂとの間の間隔を調整できるようになっている。かかる構成によれば、折り畳まれた弾性フレームｆの展開と同時に天幕地ｔを立体的に展開するとき、又は折畳むときに、前記弾性フレームｆの展開又は折畳みを束縛することなく、前記弾性フレームｆのポールｐとの連結により前記天幕地ｔの下端縁を円滑に引っ張って展開し、又は折畳むことができる。
【００３６】
前記バンド４の長さ調整具４ａは、バンド自体を単独に連結・分離可能に結合している。このため、前記バンド４の設定長さを調整することができる。その結果、テントＴを地面に組み立てて設置したのち、前記バンド４の設定長さを前記長さ調整具４ａにより調整すれば、テントＴの天幕地ｔを所要の緊張状態に張設することができる。また、前記バンド４は、その長さ調整具４ａにより連結・分離可能に結合されるため、前記脱着手段Ａのバックル部１又は前記バンド４に破損等を生じたとき、同バンド４を前記ポール固定手段Ｂから取り外し、前記バックル部１又は前記バンド４だけを容易に交換することもできる。
【００３７】
前記バックル部１に前記結合体２を挿入すると、前記バックル部１の掛止め縁１ｂと結合体２のフック片２ａとがワンタッチで係着され、図２に示すように、前記フレームｆのポールｐとテントＴの天幕地ｔとが一体に結合される。この状態で、ワンタッチ操作すると、上述のごとく各フレームｆが図１に示すジグザグ状に折畳まれた状態から天幕地ｔと一緒に開いて、テントＴを地面に立体的に組み立てることができる。組み立てられた弾性フレームｆは、前記固定片５の固定用リング５ｂを介してペグを地面に打ち込むことにより地面に固定される。
【００３８】
また、フライｗだけを張るときには、前記バックル部１と前記結合体２とを分離し、前記弾性フレームｆから天幕地ｔを取り外す。次に、ワンタッチ操作で前記弾性フレームｆだけを広げたのち、前記固定片５のリング５ｂにペグを打ち入れて地面に固定し、図３に示すように前記弾性フレームｆ上にフライｗを張る。
【００３９】
本実施形態は、図示例にしたがって説明したが、本発明はこれに限定されるものではなく、例えば前記脱着手段Ａの機能を有する各種のバックルを使用することができると共に、前記固定手段Ｂの機能を有する種々の固定片を使用することができる。
【００４０】
以上の説明からも明らかなように、本発明に係るワンタッチ折畳み式テントの脱着装置、及び同脱着装置を備えたテントは、弾性フレームの下端のポールと天幕地との間に脱着手段の一部であるバックルを備えると共に、弾性フレームの下端にはポール固定手段としての固定片を備えているため、ワンタッチ折畳み式テントの使用上の迅速性と簡便性を保有することができる。これに加えて、前記天幕地を分離・結合可能な機能をも有することができるため、ワンタッチ折畳み式テントであっても、前記天幕地を分離してフライだけを張って、例えば日傘として使用することができるようになり、テントの使用上の効用性が一段と高められ、さらに一層有用に使用することができるという効果がある。
【００４１】
なお、従来のワンタッチ折畳み式テントの場合には、テントの天幕地又は弾性フレームのいずれか一方に故障があって、交換又は修繕を必要とするときには、天幕地を弾性フレームから取り外すことができず、嵩張り且つ重い天幕地と弾性フレームとを一緒に運搬して修繕等を行なわなければならない不便さがあったが、本発明の脱着手段を備えたワンタッチ折畳み式テントにあっては、故障を起こしたテントの天幕地、或は弾性フレームのいずれか一方だけを運搬することにより修繕などを行なえば足りるため、それだけ荷物を軽くすることができるようになり、取扱いの簡便性が高められるという効果をも有している。
【図面の簡単な説明】
【図１】  本発明のワンタッチ折畳み式テントの折畳み状態を示す概略図である。
【図２】  本発明のワンタッチ折畳み式テントを張る場合に、弾性フレームの下端のポールと天幕地とが脱着手段により結合された状態を示す正面図である。
【図３】  本発明の折畳み式テントのフライだけを張る場合に、弾性フレームの下端のポールとテントの脱着手段により天幕地が取り外された状態を示す正面図である。
【図４】  本発明に適用されるポールがポール固定手段により地面に固定され、前記脱着手段により天幕地を結合した状態を示す概略図である。
【図５】  本発明に適用されるポールがポール固定手段により地面に固定され、前記脱着手段により天幕地を取り外した状態を示す概略図である。
【図６】  本発明に適用される弾性フレームのポール固定手段とテントの脱着手段の一例を示す要部斜視図である。
【図７】  従来の弾性フレームのポールと天幕地とが結合される例を示す説明図である。
【符号の説明】
１        バックル部
１ａ      挿入口
１ｂ      掛止め縁
１ｃ      連通孔
２        結合体
２ａ      フック片
２ｂ      連結孔
３        連結片
４        バンド
４ａ      長さ調整具
５        固定片
５ａ      挿入孔
５ｂ      固定用リング
５ｃ      連結孔
Ａ        脱着手段
Ｂ        ポール固定手段
ｂ        ハブ
ｆ        弾性フレーム
Ｔ        テント
ｔ        天幕地
ｕ        フック
ｐ        ポール
ｗ        フライ
【図１】
0004017876.tif 000002
【図２】
0004017876.tif 000003
【図３】
0004017876.tif 000004
【図４】
0004017876.tif 000005
【図５】
0004017876.tif 000006
【図６】
0004017876.tif 000007
【図７】
0004017876.tif 000008